(57)【要約】【課題】タグカバーを有効に活用して基板ケースの近傍に配置されるハーネスを確実に保持できると共に、簡単な構造で容易且つ安価に実施できるようにする。【解決手段】第１ケース体３６と第２ケース体３７とを開閉可能に結合して構成された基板ケース２３内に基板２２を収容し、第１ケース体３６と第２ケース体３７とのシール貼付部３８，３９に跨がってＩＣタグシール４０を貼付し、基板ケース２３に、ＩＣタグシール４０を覆うタグカバー４１を設け、タグカバー４１に、基板ケース２３の近傍に配置されるハーネス７９を保持するハーネス保持部８０，８１を設ける。【選択図】  図６
2011015827.tif 000002
【特許請求の範囲】
【請求項１】
第１ケース体（３６）と第２ケース体（３７）とを開閉可能に結合して構成された基板ケース（２３）内に基板（２２）を収容し、前記第１ケース体（３６）と前記第２ケース体（３７）とのシール貼付部（３８，３９）に跨がってＩＣタグシール（４０）を貼付し、前記基板ケース（２３）に、前記ＩＣタグシール（４０）を覆うタグカバー（４１）を設けた遊技機において、前記タグカバー（４１）に、前記基板ケース（２３）の近傍に配置されるハーネス（７９）を保持するハーネス保持部（８０，８１）を設けたことを特徴とする遊技機。
【請求項２】
前記タグカバー（４１）は前記ＩＣタグシール（４０）を覆う覆い部（８３，８４）から外れた部位に前記ハーネス保持部（８０，８１）を有することを特徴とする請求項１に記載の遊技機。
【請求項３】
前記シール貼付部（３８，３９）の周囲に、前記ＩＣタグシール（４０）を保護する保護リブ（７３，７４）を設けたことを特徴とする請求項１又は２に記載の遊技機。
【請求項４】
前記基板ケース（２３）は前記各ケース体（３６，３７）に形成された相対向する対向壁（７１，７２）と、該両対向壁（７１，７２）の一端間で少なくとも一方の前記ケース体（３７）に形成された周壁部（５３ａ）とを備え、他方の前記ケース体（３６）の前記対向壁（７１）と一方の前記ケース体（３７）の前記周壁部（５３ａ）とに前記各シール貼付部（３８，３９）を設け、前記周壁部（５３ａ）から前記両対向壁（７１，７２）に跨がって前記タグカバー（４１）を屈曲状に配置したことを特徴とする請求項１〜３の何れかに記載の遊技機。
【請求項５】
前記タグカバー（４１）はその一端の両側に形成された係合突起（７７ｂ）を有し、前記他方のケース体（３６）は、前記タグカバー（４１）が前記ＩＣタグシール（４０）を覆う状態で前記係合突起（７７ｂ）が係脱自在に係合する係合部（７７ａ）と、その他端側を支点として前記覆う状態へと前記タグカバー（４１）を回動させたときに前記各係合突起（７７ｂ）を前記係合部（７７ａ）へと案内しながら前記タグカバー（４１）を弾性変形させるための案内部（７３）とを有することを特徴とする請求項４に記載の遊技機。
【請求項６】
前記案内部は前記ＩＣタグシール（４０）を保護するために該ＩＣタグシール（４０）の両側で前記他方のケース体（３６）に設けられた保護リブ（７３）であることを特徴とする請求項５に記載の遊技機。
【請求項７】
前記タグカバー（４１）は前記ＩＣタグシール（４０）を覆う板状の覆い部（８３，８４）を有し、該覆い部（８３，８４）は前記ＩＣタグシール（４０）の両側の前記保護リブ（７３，７４）間に嵌合していることを特徴とする請求項３又は６に記載の遊技機。
【発明の詳細な説明】
【技術分野】
【０００１】
本発明は、パチンコ機、スロットマシン等の遊技機に関するものである。
【背景技術】
【０００２】
近年のパチンコ機では、基板ケース内の制御基板に対する不正行為を防止するために、基板ケース内に制御基板を収容した後、その基板ケースを封止手段で封止し、またＩＣタグシールを貼付して封印するようにしている（特許文献１）。
【０００３】
即ち、基板ケースは第１ケース体と第２ケース体とを開閉可能に結合して構成されており、その基板ケース内に制御基板を収容した後、開封時に痕跡が残る封止手段により両ケース体を封止して、検査等で基板ケースを開放する際には、この封止手段を切断する等して開封するようにし、基板ケースを開放すれば、封止手段に開封の痕跡が残るようにしている。
【０００４】
また封止手段とは別に両ケース体にシール貼付部を設け、当該パチンコ機の機種、制御基板の製造番号等の管理情報が記録されたＩＣタグシールを両シール貼付部に跨がって貼付しておき、メーカー内での製造工程又は遊技ホール等において、読み取り機を使用すれば、必要に応じてＩＣタグシールに記録された管理情報を容易に読み取れるようにしている。
【０００５】
このＩＣタグシールは非常に小さいＩＣチップと、読み取り機からの磁場を受けたときの電磁誘導作用による起電力をＩＣチップに供給するアンテナとを粘着シートに埋め込んで構成したものであって、ＩＣタグシールに接触して外力が加われば破損し易いので、接触しないようにタグカバーにより保護している。
【０００６】
このタグカバーは両ケース体のシール貼付部を覆うＬ字状であって、一端側が一方のケース体にヒンジにより開閉自在に枢着されており、ＩＣタグシールを貼付した後、他端側の係合爪を他方のケース体に係脱自在に係合している。
【先行技術文献】
【特許文献】
【０００７】
【特許文献１】特開２００９−１１７１６号公報
【発明の概要】
【発明が解決しようとする課題】
【０００８】
一般に制御基板にはコネクタを介してハーネスが接続されており、基板ケース内に収容された制御基板の場合にも同様である。このため基板ケースの周辺には、他の基板又は電子部品と基板ケース内の制御基板とを接続するハーネスが配置されることになり、そのハーネスをハーネス保持部で保持する必要がある。
【０００９】
基板ケースにハーネス保持部を設ける場合、基板ケースを構成する２つのケース体の内、その一方のケース体に一体にハーネス保持部を設けることも考えられる。しかし、ケース体には封止手段等の他の構成部分の一部が一体に設けられるため、それらに加えてハーネス保持部を一体に設けるとすれば、その構造が非常に複雑になり、製作コストの高騰を招く惧れがある。
【００１０】
一方、タグカバーは基板ケースの両ケース体に比較して小さく構造的にも簡単である上に、タグカバーの使用時には必ず基板ケースに装着されているため、このタグカバーをハーネスの保持用に利用できれば便利である。しかし、従来のタグカバーはＩＣタグシールの保護専用の部品であり、十分に活用できていない。
【００１１】
本発明は、このような従来の問題点に鑑み、タグカバーを有効に活用して基板ケースの近傍に配置されるハーネスを確実に保持できると共に、簡単な構造で容易且つ安価に実施できる遊技機を提供することを目的とする。
【課題を解決するための手段】
【００１２】
本発明は、第１ケース体３６と第２ケース体３７とを開閉可能に結合して構成された基板ケース２３内に基板２２を収容し、前記第１ケース体３６と前記第２ケース体３７とのシール貼付部３８，３９に跨がってＩＣタグシール４０を貼付し、前記基板ケース２３に、前記ＩＣタグシール４０を覆うタグカバー４１を設けた遊技機において、前記タグカバー４１に、前記基板ケース２３の近傍に配置されるハーネス７９を保持するハーネス保持部８０，８１を設けたものである。
【発明の効果】
【００１３】
本発明によれば、タグカバー４１に、基板ケース２３の近傍に配置されるハーネス７９を保持するハーネス保持部８０，８１を設けているので、タグカバー４１を有効に活用して基板ケース２３の近傍に配置されるハーネス７９を確実に保持できると共に、簡単な構造で容易且つ安価に実施できる利点がある。
【図面の簡単な説明】
【００１４】
【図１】本発明の第１の実施形態を示すパチンコ機の正面図である。
【図２】同遊技盤の背面図である。
【図３】同集球ケース、主制御基板ケースの分解斜視図である。
【図４】同主制御基板ケースの背面図である。
【図５】同図４のＡ−Ａ矢視拡大断面図である。
【図６】同主制御基板ケースの裏面側斜視図である。
【図７】同主制御基板ケースの要部の裏面側分解斜視図である。
【図８】同主制御基板ケースの前面側斜視図である。
【図９】同主制御基板ケースの要部の前面側分解斜視図である。
【図１０】同要部の拡大断面図である。
【図１１】同タグカバーの装着方法の説明図である。
【図１２】本発明の第２の実施形態を示す要部の縦断面図である。
【図１３】同要部の底面図である。
【発明を実施するための形態】
【００１５】
以下、本発明の実施形態を図面に基づいて詳述する。図１〜図１１はパチンコ機に具現化した本発明の第１の実施形態を例示する。図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１６】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、発射用の遊技球を貯留する貯留皿８と、発射手段（図示省略）を作動させるための発射ハンドル９等が前面に設けられている。なお、発射手段は発射ハンドル９を操作したときに貯留皿８から供給される遊技球を遊技盤５側へと発射するようになっている。
【００１７】
遊技盤５の前側には、発射手段により発射された遊技球を案内するガイドレール１０が環状に装着されると共に、そのガイドレール１０内の遊技領域１２には、画像表示手段１３を備えたセンターケース１４、通過ゲート１５、開閉式入賞手段１６、大入賞手段１７、普通入賞手段１８等の各種遊技部品が装着されている。
【００１８】
また遊技盤５の裏側には、図２に示すように、センターケース１４等の遊技部品を後側から覆う裏カバー２０と集球ケース２１とが上下に配置されている。例えば、集球ケース２１の背面側に主制御基板２２が格納された主制御基板ケース２３が着脱自在に装着され、裏カバー２０の背面側に演出制御基板２４が格納された演出制御基板ケース２５と、画像制御基板２６が格納された画像制御基板ケース２７とが着脱自在に装着されている。
【００１９】
なお、主制御基板２２はゲーム中の全体の遊技動作を統括的に制御し、また画像制御基板２６は画像表示手段１３に表示される画像を制御し、更に演出制御基板２４は画像表示手段１３の周辺に配置された可動演出手段（図示省略）の演出動作、遊技盤５側その他の演出ランプの演出発光、スピーカの効果音等を制御するようになっている。
【００２０】
集球ケース２１は、開閉式入賞手段１６、大入賞手段１７、普通入賞手段１８等に入賞して遊技盤５の裏側に案内された遊技球を集めて排出口２８から回収通路（図示省略）側へと案内するためのもので、裏カバー２０の下側に近接して配置され、遊技盤５の裏側に着脱自在に固定されている。
【００２１】
集球ケース２１の背面側には、例えば図２、図３に示すように、その略中央に主制御基板ケース２３を着脱自在に装着可能な主制御基板ケース装着部３０が設けられ、またこの主制御基板ケース装着部３０の一側に、前枠３側の枠側ジョイント部（図示省略）に対応する盤側ジョイント部３１が設けられている。盤側ジョイント部３１は上下方向に複数個の盤側コネクタ３２と、この各盤側コネクタ３２に対応する複数個の中継コネクタ３３と、この盤側コネクタ３２及び中継コネクタ３３間に配置されたハーネスカバー３４とを備え、遊技盤５を前枠３側に装着したときに前枠３側の枠側ジョイント部（図示省略）の前側に対向して、その盤側コネクタ３２が枠側ジョイント部の各枠側コネクタ（図示省略）に着脱自在に接続する。
【００２２】
主制御基板ケース２３は全体として扁平な略矩形状であって、図３〜図５に示すように、例えば透明な合成樹脂製の第１ケース体３６と第２ケース体３７とを開閉可能に結合して構成されている。そして、主制御基板ケース２３の外周側の一辺、例えば左右方向の一端側で且つ盤側ジョイント部３１と反対側には、両ケース体３６，３７に跨がる封止手段３５が上下方向に複数個設けられると共に、他の一辺、例えば下辺側には両ケース体３６，３７のシール貼付部３８，３９に跨がってＩＣタグシール４０が貼付され、そのＩＣタグシール４０がタグカバー４１により保護されている。
【００２３】
ＩＣタグシール４０は図３に示すように小さいＩＣチップ４２と、読み取り機からの磁場を受けたときの電磁誘導作用による起電力をＩＣチップ４２に供給するアンテナ４３とを粘着シート４４に埋め込んで構成されており、ＩＣチップ４２には当該パチンコ機の機種、制御基板の製造番号等の管理情報が記録されている。
【００２４】
主制御基板２２にはその一面側にＣＰＵ，ＲＯＭ，ＲＡＭ等の電子部品４５が配置されると共に、盤側ジョイント部３１に近い側と、上下の二辺に１個又は複数個のコネクタ４６〜４８が装着されている。
【００２５】
第２ケース体３７は図３〜図７等に示すように、主制御基板２２の電子部品４５に対向する主膨出部４９と、主制御基板２２の各コネクタ４６〜４８側に対応して形成された段部５０〜５２と、この段部５０〜５２よりも第１ケース体３６側に突出する嵌合周壁部５３とを有し、外縁部が各段部５０〜５２の内側に当接するように第２ケース体３７内に主制御基板２２が固定されている。各段部５０〜５２にはその開口から主制御基板２２のコネクタ４６〜４８が後方に突出している。
【００２６】
第１ケース体３６は図３〜図５、図８、図９に示すように、偏平な底板５７と、この底板５７の外周から第２ケース体３７側に突出し且つ第２ケース体３７の嵌合周壁部５３が嵌脱自在に内嵌する嵌合周壁部５８とが設けられている。そして、第１ケース体３６と第２ケース体３７は、両嵌合周壁部５３，５８が嵌合した状態でその上下両側（幅方向の両側）の側部係合手段５９と、封止手段３５と反対側の端部係合手段６０とにより閉状態に結合され、また封止手段３５、ＩＣタグシール４０により封印されている。
【００２７】
側部係合手段５９は図７〜図９に示すように、第２ケース体３７の嵌合周壁部５３の上下二辺に外方に突出して左右方向に所定間隔を置いて設けられた複数個の係合爪６１と、第１ケース体３６の嵌合周壁部５８の上下の二辺に各係合爪６１に対応して形成された複数個の切り欠き部６２と、各係合爪６１が各切り欠き部６２に入った状態で両ケース体３６，３７を左右方向に相対摺動させたときに各係合爪６１が係脱自在に係合する複数個の係合部６３とを有する。
【００２８】
端部係合手段６０は図６、図８に示すように、第２ケース体３７の嵌合周壁部５３に設けられた係合突起６５と、第１ケース体３６の嵌合周壁部５８に設けられ且つ両ケース体３６，３７を左右方向に相対摺動させたときに係合突起６５が係脱自在に係合する係合孔６６とを有する。封止手段３５は第２ケース体３７側のピン保持部内に保持された封止ピンを押し込んだときに、その封止ピンが第１ケース体３６側のピン嵌合部に嵌合して両ケース体３６，３７を封止し、開封時には封止手段３５の所定箇所を切断して両ケース体３６，３７の封止を解除するようになっている。
【００２９】
なお、第１ケース体３６の上下の二辺には、図３、図６に示すように、嵌合周壁部５８との間に第２ケース体３７の嵌合周壁部５３の嵌合代を置いて左右方向に内壁６７が設けられ、側部係合手段５９に生じる隙間を内側から塞いでいる。
【００３０】
第２ケース体３７の下辺には、図５、図７に示すように、段部５１，５２の長手方向の中央よりも中継コネクタ３３に近い側に副膨出部７０が設けられ、この副膨出部７０に対応して両ケース体３６，３７にシール貼付部３８，３９が設けられている。
【００３１】
即ち、両ケース体３６，３７は図５、図７、図９に示すように、副膨出部７０側で前後に相対向する第１対向壁７１と第２対向壁７２とを有する。第１ケース体３６にはその第１対向壁７１から下側に周壁部５８ａに跨がって第１シール貼付部３８が設けられ、また第２ケース体３７には副膨出部７０の下側の周壁部５３ａに第２シール貼付部３９が第１シール貼付部３８に連続して設けられている。そして、図５、図９に示すように、両シール貼付部３８，３９に跨がってＩＣタグシール４０が貼付され、またシール貼付部３８，３９のＩＣタグシール４０はその外周の略全周を取り囲む保護リブ７３，７４により外周側から保護されている。
【００３２】
なお、周壁部５３ａ，５８ａは嵌合周壁部５３，５８の一部に設けられており、相対向する端面が当接している。また保護リブ７３，７４は第１ケース体３６の主制御基板２２と反対側（前面側）に縦横に形成された補強リブ７５と略同高さとなっている。
【００３３】
タグカバー４１は透明な合成樹脂製であって、図３〜図１０に示すように、第１対向壁７１から下側の周壁部５３ａ，５８ａを経て第２対向壁７２に跨がるコ字状又はＵ字状に屈曲形成されている。このタグカバー４１は屈曲方向の両端の第１係合手段７７、第２係合手段７８により各対向壁７１，７２に着脱自在に係合されると共に、主制御基板ケース２３の下辺側に左右方向に配置されるハーネス７９を主制御基板ケース２３の裏面形状に沿って保持するための第１ハーネス保持部８０と第２ハーネス保持部８１とが左右に設けられている。
【００３４】
即ち、タグカバー４１は図３〜図１０に示すように、第１対向壁７１側の第１シール貼付部３８に対応する第１覆い部８３と、第１覆い部８３の下端からＬ字状に屈曲し且つ周壁部５３ａ，５８ａ側の第１及び第２シール貼付部３８，３９に対応する第２覆い部８４と、第２覆い部８４の後端から上側に屈曲し且つ第２対向壁７２に当接するハーネス支持部８５とを一体に備えている。ハーネス支持部８５は副膨出部７０を裏側から覆う第１支持部８５ａと、この第１支持部８５ａの一側に側壁８５ｂを介して一体に形成され且つ段部５２の裏側に当接する第２支持部８５ｃとが設けられている。
【００３５】
第１覆い部８３、第２覆い部８４は図８に示すように、その幅方向の両側の保護リブ７３，７４間に嵌合する幅を有する板状であって、ＩＣタグシール４０に僅かの間隔を置いて近接するように各シール貼付部３８，３９に略平行に設けられている。なお、第１覆い部８３と第２覆い部８４との屈曲部分の幅方向の両側には、着脱時に両者間でタグカバー４１が弾性変形し易くなるように切り欠き部８６が形成されているが、各覆い部８３，８４が容易に弾性変形できる程度の幅、厚さ等であれば、この切り欠き部８６は省いてもよい。
【００３６】
ハーネス支持部８５の第１支持部８５ａは副膨出部７０を裏側から覆うようにその形状に沿った形状となっており、また第２支持部８５ｃは第１支持部８５ａの一側に段部５２に当接するように低く形成されている。第１ハーネス保持部８０は第１支持部８５ａの裏面に、第２ハーネス保持部８１は第２支持部８５ｃの裏面に夫々後方に突出して設けられており、例えば複数個の中継コネクタ３３の一部と、主制御基板ケース２３のコネクタ４８とを接続すべく主制御基板ケース２３の裏下辺側に左右方向に配置されたハーネス７９を保持するようになっている。
【００３７】
各ハーネス保持部８０，８１は図６、図７、図９に示すように、各支持部８５ａ，８５ｃに固定された左右一対の突起８０ａ，８１ａと、この一対の突起８０ａ，８１ａ間で各支持部８５ａ，８５ｃに固定され且つ突起８０ａ，８１ａとの間で保持する保持爪８０ｂ，８１ｂとを有する。保持爪８０ｂ，８１ｂはハーネス７９が外れ難くなるように先端側から所定方向に屈曲している。
【００３８】
なお、第１支持部８５ａと第２支持部８５ｃでは突起８０ａ，８１ａと保持爪８０ｂ，８１ｂとが上下逆向きに配置されているが、同じ向きでもよい。また第１ハーネス保持部８０の後端は第２ケース体３７の主膨出部４９の裏面と略同程度であり、第２ハーネス保持部８１の後端は第１ハーネス保持部８０よりも若干低くなっているが、共に主膨出部４９の裏面から後方に突出しない範囲でハーネス７９の保持に必要な高さにすればよい。
【００３９】
第１係合手段７７は、図５、図８〜図１０に示すように、ＩＣタグシール４０の幅方向の両側で保護リブ７３の先端側に設けられた第１対向壁７１側の係合部７７ａと、ＩＣタグシール４０の幅方向の両側に保護リブ７３よりも外側に突出して第１覆い部８３に設けられ且つ各係合部７７ａに係脱自在に係合する一対の係合突起７７ｂとを有する。そして、係合突起７７ｂは第２係合手段７８を支点として係合部７７ａに係合するときに、ＩＣタグシール４０の両側の保護リブ７３，７４に当接して係合部７７ａ側へと摺動しながら案内され、第１覆い部８３の先端側のＩＣタグシール４０に対する干渉を防止するようになっている。なお、保護リブ７３の内、一対の係合部７７ａ間に対応する中間部分７３ａは、他の部分よりも第１覆い部８３の板厚分だけ低くなっている。
【００４０】
第２係合手段７８は、図４、図５、図７、図１０に示すように、副膨出部７０の第２対向壁７２に凹入状に形成された被係合部７８ａと、ハーネス支持部８５に形成され且つ被係合部７８ａに裏側から係脱自在に係合する係合部７８ｂとを備えている。係合部７８ｂは爪状であって、第１ハーネス保持部８０の突起８０ａ間に配置されている。
【００４１】
主制御基板ケース装着部３０は、図３に示すように、集球ケース２１の背面側に設けられた装着用開口部８９と、その装着用開口部８９の上下両縁側に沿って配置された上下一対の装着レール９０と、主制御基板ケース２３の一端側を挿脱自在に挿入する挿入凹部９１と、挿入凹部９１に挿入された主制御基板ケース２３の他端側を着脱自在に固定する摘まみ式の固定具９２とを備えている。
【００４２】
なお、他の中継コネクタ３３はハーネス（図示省略）を介して演出制御基板２４、画像制御基板２６に接続され、また主制御基板２２のコネクタ４６，４７はハーネス（図示省略）を介して演出制御基板２４、画像制御基板２６に夫々接続されている。
【００４３】
上記構成のパチンコ機において、主制御基板２２を主制御基板ケース２３に収容する場合には、第２ケース体３７側に主制御基板２２を固定した後、第１ケース体３６と第２ケース体３７との嵌合周壁部５８，５３を互いに嵌合させた後、両ケース体３６，３７をその長手方向に相対摺動させて側部係合手段５９、端部係合手段６０により閉状態に結合する。そして、１個の封止手段３５の封止ピンを押圧して封止し、また第１シール貼付部３８と第２シール貼付部３９とに跨がってＩＣタグシール４０を貼付する。
【００４４】
シール貼付部３８，３９にＩＣタグシール４０を貼付した場合には、その後、直ちに主制御基板ケース２３にタグカバー４１を装着して、このタグカバー４１によりＩＣタグシール４０を保護する。このようにしておけば、ＩＣタグシール４０が損傷し易いとは云え、取り扱い時にシール貼付部３８，３９のＩＣタグシール４０に誤って接触して損傷する等の問題を極力防止することができる。
【００４５】
タグカバー４１の装着に当たっては、タグカバー４１のハーネス支持部８５側が嵩張りの大きい立体構造になっており、反対側の第１覆い部８３、第２覆い部８４が弾性変形し易い構造になっているので、先ずタグカバー４１を第２係合手段７８を介してタグカバー４１を第２対向壁７２に係合する。そして、次に第２係合手段７８を支点として、第１覆い部８３と第２覆い部８４とを弾性変形させながら、その第１覆い部８３を第１係合手段７７により第１対向壁７１に係合する。このような順序でタグカバー４１を主制御基板ケース２３に装着すれば、タグカバー４１を容易に主制御基板ケース２３に装着することができる。
【００４６】
即ち、図１１（ａ）に示すように第２係合手段７８の係合部７８ｂを第２対向壁７２の被係合部７８ａに係合し、第２係合手段７８側を基準に第２覆い部８４が副膨出部７０を覆うべくタグカバー４１を主制御基板ケース２３に下側から嵌合させて行く。すると図１１（ｂ）に示すように第１係合手段７７の一対の係合突起７７ｂがＩＣタグシール４０の両側の保護リブ７３に当接して、第１覆い部８３と第２覆い部８４とが反屈曲方向に弾性変形しながら、タグカバー４１の第１覆い部８３、第２覆い部８４が第１シール貼付部３８、第２シール貼付部３９のＩＣタグシール４０を覆うように接近する。
【００４７】
続いてタグカバー４１を更に嵌合方向に押圧すれば、図１１（ｃ）に示すようにタグカバー４１の一対の係合突起７７ｂが保護リブ７３に案内されながら係合部７７ａ側へと案内されて行く。そして、係合突起７７ｂが保護リブ７３の端面を超えた後、図１０に示すように第１覆い部８３、第２覆い部８４がＩＣタグシール４０を覆う状態で係合部７７ａに係合する。
【００４８】
このようにすれば、コ字状又はＵ字状のタグカバー４１の第１覆い部８３とハーネス支持部８５との間隔を無理なく拡げながらスムーズに主制御基板ケース２３に装着することができ、しかもタグカバー４１の折損、又はシール貼付部３８，３９のＩＣタグシール４０の損傷等を未然に防止することができる。装着状態のタグカバー４１はその各覆い部８３，８４が保護リブ７３間に嵌合してＩＣタグシール４０に近接した状態にある。このためタグカバー４１によりシール貼付部３８，３９のＩＣタグシール４０を確実に保護できるだけでなく、タグカバー４１が邪魔になったり、タグカバー４１に対して幅方向の外方から衝撃が加わってタグカバー４１が外れたりする惧れもない。
【００４９】
タグカバー４１を取り外す場合には、ハーネス支持部８５を裏側から把持するか、第１ハーネス保持部８０に指を掛けて離脱方向へと弾性変形させて第２係合手段７８の係合部７８ｂを被係合部７８ａから外す。なお、このとき第１覆い部８３、第２覆い部８４側が弾性変形する。このように第２係合手段７８側からタグカバー４１を取り外せば、第１係合手段７７側から取り外す場合に比較して容易に取り外すことができる。
【００５０】
封印後の主制御基板ケース２３は、集球ケース２１の背面側の主制御基板ケース装着部３０に装着する。この場合、主制御基板ケース２３は集球ケース２１の装着用開口部８９の上下両縁側の装着レール９０に当接して左右両側の挿入凹部９１と固定具９２とにより固定される。
【００５１】
盤側ジョイント部３１に装着された複数個の中継コネクタ３３の内、その下側の２個の中継コネクタ３３に接続されたハーネス７９は、主制御基板ケース２３の下辺に沿って左右方向に配置されたハーネス保持部８０，８１を経て主制御基板２２の下辺のコネクタ４８に接続されている。なお、上側の２個の中継コネクタ３３に接続されたハーネスは、主制御基板ケース２３の左側方を経て演出制御基板２４、画像制御基板２６に接続されている。
【００５２】
各中継コネクタ３３に接続された各ハーネス７９等は、盤側コネクタ３２と中継コネクタ３３との間で集球ケース２１の側方近傍に配置されたハーネスカバー３４により覆われているので、盤側ジョイント部３１の近傍でのハーネス７９等の錯綜を防止できる。また主制御基板ケース２３の下辺に沿って左右方向に配置されるハーネス７９は、ハーネス保持部８０，８１により各ハーネス支持部８５の裏面に沿って保持されているため、主制御基板ケース２３の下辺でのハーネス７９の錯綜も防止できる。
【００５３】
しかも主制御基板ケース２３に比較して小さいタグカバー４１にハーネス支持部８５を備え、このハーネス支持部８５にハーネス保持部８０，８１を設けているので、主制御基板ケース２３側にハーネス保持部８０，８１を設ける場合に比較して全体の構造が簡単であり、容易且つ安価に製造することができる。
【００５４】
またハーネス保持部８０，８１はシール貼付部３８，３９のＩＣタグシール４０を覆うタグカバー４１に設けているが、そのＩＣタグシール４０を覆う覆い部８３，８４から離れた位置のハーネス支持部８５に設けているため、ハーネス保持部８０，８１の突起８０ａ，８１ａ間にハーネス７９を通すときにも、誤ってＩＣタグシール４０を損傷するようなこともない。
【００５５】
またタグカバー４１のハーネス支持部８５は主制御基板ケース２３の副膨出部７０及びその左側の段部５２をその形状に沿って裏側から覆う立体形状となっており、しかもハーネス支持部８５の下から前側へと屈曲する板状の第２覆い部８４が保護リブ７４内に嵌合して、この保護リブ７４により左右方向の動きが規制されているため、ハーネス支持部８５又はハーネス保持部８０，８１に左右方向の外力が作用しても、タグカバー４１が動くことはなくその安定性が向上する。
【００５６】
図１２、図１３は本発明の第２の実施形態を例示する。この実施形態では、第１ケース体３６と第２ケース体３７との下辺側の周壁部５３ａ，５８ａにシール貼付部３８，３９と保護リブ７３，７４とが設けられており、その両シール貼付部３８，３９に跨がってＩＣタグシール４０が貼付されている。
【００５７】
タグカバー４１は両シール貼付部３８，３９から第２ケース体３７の下辺側の裏面の副膨出部７０に跨がって側面視略Ｌ字状に設けられている。このタグカバー４１はＩＣタグシール４０を覆い且つ左右の保護リブ７３，７４間に嵌合する第１、第２覆い部８３，８４と、第２覆い部８４の後端から上側に屈曲し且つ副膨出部７０を左右及び裏側から覆うハーネス支持部８５とを有し、そのハーネス支持部８５の裏側にハーネス保持部８０が設けられている。なお、第１覆い部８３の前端側に第１係合手段７７が、ハーネス支持部８５の上端に第２係合手段７８が夫々設けられている。
【００５８】
この実施形態に例示するように、シール貼付部３８，３９を両ケース体３６，３７の周壁部５３ａ，５８ａに形成し、その両シール貼付部３８，３９に跨がってＩＣタグシール４０を貼付してもよい。またタグカバー４１はシール貼付部３８，３９の位置、ハーネス保持部８０が必要な位置等に応じて略Ｌ字状に構成する等、他の要因に応じて適宜変更すればよい。
【００５９】
以上、本発明の実施形態について詳述したが、本発明はこれらの実施形態に限定されるものではなく、本発明の趣旨を逸脱しない範囲で種々の変更が可能である。例えば、基板ケースは主基板を収容した主制御基板ケース２３を例示しているが、他の各種の回路基板を収容した基板ケースにおいても同様に実施可能である。また基板ケース２３は封止手段３５を備えたものでもよいし、封止手段３５のないものでもよい。封止手段３５を備えた基板ケース２３の場合、そのシール貼付部３８，３９、ＩＣタグシール４０との相対的な位置関係は、両者が干渉しない位置関係にあれば十分である。
【００６０】
封止手段３５はタグカバー４１ごと基板ケース２３を封止してもよい。また基板ケース２３を封止する封止手段３５とは別に、タグカバー４１を基板ケース２３に封止する封止手段を設けてもよい。但し、タグカバー４１ごと基板ケース２３を封止する封止手段３５を設ける場合、又は封止手段３５とは別にタグカバー４１を基板ケース２３に封止する封止手段を設ける場合には、ＩＣタグシール４０から外れた位置でタグカバー４１を封止するように構成することが望ましい。
【００６１】
ＩＣタグシール４０は、ＩＣチップ４２とアンテナ４３とを備えたものが一般的であるが、他の構成のものでもよい。タグカバー４１はＩＣタグシール４０を覆い且つハーネス保持部８０，８１を設け得るものであればよい。タグカバー４１は長手方向の両端の第１係合手段７７と第２係合手段７８とにより基板ケース２３に着脱自在に装着しているが、長手方向の端部を第１ケース体３６又は第２ケース体３７に枢着して、その枢着部を支点に回動させて係脱するようにしてもよい。その場合、枢着部側も着脱自在であることが望ましい。
【００６２】
また実施形態では、基板ケース２３の下辺に沿って配置されるハーネス７９をタグカバー４１のハーネス保持部８０，８１で保持するようにしているが、ハーネス７９は基板ケース２３の近傍を通るものであれば、その何れかの辺に沿って配置されたものである必要はない。またハーネス保持部８０，８１の構造も、ハーネス７９を保持して固定できるものであればよい。
【００６３】
ハーネス保持部８０，８１はタグカバー４１のＩＣタグシール４０を覆う覆い部８３，８４から外れた部位に設けるのが望ましいが、覆い部８３，８４に対応してＩＣタグシール４０と反対側の面に設けてもよい。その場合、ハーネス保持部８０，８１を介して覆い部８３，８４をＩＣタグシール４０側へと押圧する外力が加わっても、覆い部８３，８４がＩＣタグシール４０と接触しないようにシール貼付部３８，３９側に受け部を設けておけばよい。
【００６４】
タグカバー４１の覆い部８３，８４は板状以外の形状でもよい。また覆い部８３，８４は多数の孔又は開口を有する編み目状でもよい。ハーネス保持部８０，８１を備えたハーネス支持部８５は、基板ケース２３側の対応部分をその形状に沿って覆うことが望ましいが、そのハーネス支持部８５を枠状に構成し、それにハーネス保持部８０，８１を設けてもよい。
【００６５】
シール貼付部３８，３９の周囲に保護リブ７３，７４を設けるに当たっては、その保護リブ７３，７４はＩＣタグシール４０を両側から挟むように幅方向又は長手方向の両側にＩＣタグシール４０の略全長にわたって設けるだけでもよい。従って、必ずしもＩＣタグシール４０の全周を取り囲む必要はない。またＩＣタグシール４０の両側の保護リブ７３，７４間にタグカバー４１の覆い部８３，８４を嵌合させる場合、保護リブ７３，７４の後端と覆い部８３，８４の後端面とは略同一に揃えることが望ましいが、保護リブ７３，７４の方が高くてもよいし、多少保護リブ７３，７４の方が低くてもよい。
【００６６】
他端側を支点としてタグカバー４１をＩＣタグシール４０の覆い位置側へと回動させて係合突起７７ｂを係合部７７ａに係合させるときに、係合突起７７ｂを係合部７７ａへと案内しながらタグカバー４１を弾性変形させるための案内部は、実施形態では保護リブ７３に設けているが、保護リブ７３の外側の第１対向壁７１の表面を案内部とし、保護リブ７３で横移動を規制しながら第１対向壁７１の表面で係合突起５４を案内するようにしてもよい。
【００６７】
更に実施形態では本発明をパチンコ機に適用した場合を例示しているが、アレンジボール機、スロットマシン等の各種遊技機においても同様に実施可能であることは云うまでもない。
【符号の説明】
【００６８】
３６  第１ケース体
３７  第２ケース体
２３  主制御基板ケース
３８  第１シール貼付部
３９  第２シール貼付部
４０  ＩＣタグシール
４１  タグカバー
５３ａ  周壁部
７１  第１対向壁
７２  第２対向壁
７３  保護リブ（案内部）
７４  保護リブ
７７ａ  係合部
７７ｂ  係合突起
８０  第１ハーネス保持部
８１  第２ハーネス保持部
８３  第１覆い部
８４  第２覆い部
【図１】
2011015827.tif 000003
【図２】
2011015827.tif 000004
【図３】
2011015827.tif 000005
【図４】
2011015827.tif 000006
【図５】
2011015827.tif 000007
【図６】
2011015827.tif 000008
【図７】
2011015827.tif 000009
【図８】
2011015827.tif 000010
【図９】
2011015827.tif 000011
【図１０】
2011015827.tif 000012
【図１１】
2011015827.tif 000013
【図１２】
2011015827.tif 000014
【図１３】
2011015827.tif 000015